Podtech/llm-jp-corpus-v4-ja_patent huggingface dataset:
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
給紙カセットと、
排紙保持部と、
記録ヘッドを有する記録部と、
前記給紙カセットから前記記録ヘッドを通過し前記排紙保持部に至る搬送路と、
前記搬送路から分岐する分岐部位から前記搬送路に合流する合流部位に至る反転搬送路と、
回動中心と回動先端部を有する回動可能な回動ガイド部材であって、前記給紙カセットから前記記録ヘッドへ向けて前記搬送路を搬送される被記録媒体をガイドする第１姿勢と、前記分岐部位から前記合流部位に向けて前記反転搬送路を搬送される被記録媒体をガイドする第２姿勢と、の間で回動する前記回動ガイド部材と、
前記回動ガイド部材と対向するガイド部材と、
を備え、
前記反転搬送路の一部は、前記回動ガイド部材と前記ガイド部材により形成され、
前記回動ガイド部材が前記第２姿勢にあるときの前記回動ガイド部材の前記回動先端部と前記ガイド部材との間隔は、前記回動ガイド部材が前記第１姿勢にあるときの前記回動ガイド部材の前記回動先端部と前記ガイド部材との間隔よりも大きい画像記録装置。
【請求項２】
前記回動ガイド部材と対向する他のガイド部材をさらに備え、
前記搬送路の一部は、前記回動ガイド部材と前記他のガイド部材により形成され、
前記回動ガイド部材が前記第１姿勢にあるときの前記回動ガイド部材の前記回動先端部と前記他のガイド部材との間隔は、前記回動ガイド部材が前記第２姿勢にあるときの前記回動ガイド部材の前記回動先端部と前記他のガイド部材との間隔よりも大きい請求項１に記載の画像記録装置。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
液晶ポリマーフィルムであって、前記液晶ポリマーフィルムの材料は式（１）、
‐Ｌ１‐Ａｒ‐Ｌ２‐    （１）
で表す構造単位から成る液晶ポリマー樹脂であり、
式中、‐Ｌ１‐及び‐Ｌ２‐はそれぞれ‐Ｏ‐又は‐ＣＯ‐であり、‐Ａｒ‐はアリーレン基であり、
式（１）は、以下の構造単位、
【化１】
2021098851.tif 000001
及び
【化２】
2021098851.tif 000002
から成り、
式（１）で表す前記構造単位の総モル数に基づいて、式（Ｉ）で表す前記構造単位のモル数は１５ｍｏｌ％〜４０ｍｏｌ％の範囲であり、
式（Ｉ）及び（ＩＩ）で表す前記構造単位の合計モル数は８０ｍｏｌ％〜１００ｍｏｌ％の範囲であり、
前記液晶ポリマーフィルムは、μｍの単位で表す厚さ及び透過率（ＴＴ％）を有し、
前記厚さ及び前記透過率の値を式（ＩＩＩ）
：Ｌｏｇ（１／ＴＴ％）／（厚さ）０．５
に代入すると、０．０５５より大きく０．０９０より小さい値が得られ、
前記透過率は標準法ＡＳＴＭ  Ｄ１００３に従って定義することを特徴とする、
液晶ポリマーフィルム。
【請求項２】
前記液晶ポリマーフィルムの厚さは１０μｍ〜２００μｍの範囲である、請求項１に記載の液晶ポリマーフィルム。
【請求項３】
前記液晶ポリマーフィルムの透過率は８％以上６０％未満である、請求項１又は２に記載の液晶ポリマーフィルム。
【請求項４】
前記液晶ポリマーフィルムは互いに相対する第１表面及び第２表面から成り、前記第１表面の尖度（Ｓｋｕ）は１以上３００以下であり、前記Ｓｋｕは標準法ＩＳＯ２５１７８‐２：２０１２に従って定義する、請求項１〜３のいずれか１項に記載の液晶ポリマーフィルム。
【請求項５】
前記第１表面のＳｋｕは１０以上３００以下である、請求項４に記載の液晶ポリマーフィルム。
【請求項６】
前記第１表面のＳｋｕは１５以上３００以下である、請求項４に記載の液晶ポリマーフィルム。
【請求項７】
前記液晶ポリマーフィルムは互いに相対する前記第１表面及び前記第２表面から成り、前記第１表面の表面相加平均高さ（Ｓａ）は０．２９μｍ以下であり、前記Ｓａは標準法ＩＳＯ２５１７８‐２：２０１２に従って定義する、請求項１〜６のいずれか１項に記載の液晶ポリマーフィルム。
【請求項８】
前記第１表面のＳａは０．０２μｍ以上０．２９μｍ以下である、請求項７に記載の液晶ポリマーフィルム。
【請求項９】
前記第１表面のＳａは０．０３μｍ以上０．２０μｍ以下である、請求項７に記載の液晶ポリマーフィルム。
【請求項１０】
式（１）で表す前記構造単位の前記総モル数に基づいて、式（Ｉ）で表す前記構造単位のモル数は２２ｍｏｌ％〜２７ｍｏｌ％の範囲であり、式（Ｉ）及び（ＩＩ）で表す前記構造単位の合計モル数は１００ｍｏｌ％である、請求項１〜９のいずれか１項に記載の液晶ポリマーフィルム。
【請求項１１】
第１金属箔、及び請求項１〜１０のいずれか１項に記載の液晶ポリマーフィルムから成る積層体であって、
前記液晶ポリマーフィルムは互いに相対する第１表面及び第２表面から成り、
前記第１金属箔は前記液晶ポリマーフィルムの前記第１表面上に配置することを特徴とする、
積層体。
【請求項１２】
前記積層体は第２金属箔から成り、前記第２金属箔は前記液晶ポリマーフィルムの前記第２表面上に配置する、請求項１１に記載の積層体。
【手続補正２】
【補正対象書類名】明細書
【補正対象項目名】００５９
【補正方法】変更
【補正の内容】
【００５９】
表２に示した計算結果から、Ｅ１０、Ｅ１４、及びＥ１５の、式（ＩＩＩ）から求めた値は類似していた。明らかに、厚さの異なる複数のＬＣＰフィルムを同じＬＣＰ樹脂を用いて同様の製造パラメータで調整した場合、ＬＣＰフィルムの厚さの違いにより、式（ＩＩＩ）から求めた値に明らかなばらつきが生じることはない。このことから、ＬＣＰフィルムの厚さと透過率との関係は式（ＩＩＩ）で表せることが分かった。これは、式（ＩＩＩ）がＬＣＰフィルムの厚さと透過率の関係を表すことができることを示している。
【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
互いに相対する第１表面及び第２表面から成る液晶ポリマーフィルムであって、
前記第１表面の表面相加平均高さ（Ｓａ）は０．３２μｍ未満であり、
前記第１表面の表面最大高さ（Ｓｚ）は０．８μｍ以上であり、
前記第１表面のＳａ及びＳｚはＩＳＯ２５１７８：２０１２で定義することを特徴とする、
液晶ポリマーフィルム。
【請求項２】
前記第１表面のＳａは０．０２８μｍ以上０．２９０μｍ以下である、請求項１に記載の液晶ポリマーフィルム。
【請求項３】
前記第１表面のＳｚは０．９２μｍ以上７．３０μｍ以下である、請求項１又は２に記載の液晶ポリマーフィルム。
【請求項４】
前記第２表面のＳａは０．３２μｍ未満であり、前記第２表面のＳａはＩＳＯ２５１７８：２０１２で定義する、請求項１〜３のいずれか１項に記載の液晶ポリマーフィルム。
【請求項５】
前記第２表面のＳｚは０．８μｍ以上であり、前記第２表面のＳｚはＩＳＯ２５１７８：２０１２で定義する、請求項１〜４のいずれか１項に記載の液晶ポリマーフィルム。
【請求項６】
第１金属箔、及び請求項１〜５のいずれか１項に記載の液晶ポリマーフィルムから成る積層体であって、
前記第１金属箔は前記液晶ポリマーフィルムの前記第１表面上に配置することを特徴とする、
積層体。
【請求項７】
前記積層体は更に第２金属箔から成り、前記第２金属箔は前記液晶ポリマーフィルムの前記第２表面上に配置する、請求項６に記載の積層体。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
互いに反対側にある第１表面と第２表面とを含み、
前記第１表面の尖度（クルトシス：Ｒｋｕ）は３．０以上かつ６０．０以下であり、
前記尖度はＪＩＳ  Ｂ  ０６０１：２００１によって定義されることを特徴とする、
積層体に使用される液晶ポリマーフィルム。
【請求項２】
前記第１表面のＲｋｕは３．４以上かつ６０．０以下であることを特徴とする、請求項１に記載の液晶ポリマーフィルム。
【請求項３】
前記第１表面の算術平均粗さは０．０９μｍ以下であり、前記算術平均粗さはＪＩＳ  Ｂ  ０６０１：１９９４によって定義されることを特徴とする、請求項１又は２に記載の液晶ポリマーフィルム。
【請求項４】
前記第１表面の算術平均粗さは０．０２μｍ以上かつ０．０９μｍ以下であることを特徴とする、請求項３に記載の液晶ポリマーフィルム。
【請求項５】
前記第１表面の十点平均粗さは２．０μｍ以下であり、前記十点平均粗さはＪＩＳ  Ｂ  ０６０１：１９９４によって定義されることを特徴とする、請求項１〜４のいずれか一項に記載の液晶ポリマーフィルム。
【請求項６】
前記第１表面の十点平均粗さは０．１μｍ以上かつ２．０μｍ以下であることを特徴とする、請求項５に記載の液晶ポリマーフィルム。
【請求項７】
前記第２表面のＲｋｕは３．０以上かつ６０．０以下であることを特徴とする、請求項１〜６のいずれか一項に記載の液晶ポリマーフィルム。
【請求項８】
前記第２表面の算術平均粗さは０．０９μｍ以下であることを特徴とする、請求項１〜７のいずれか一項に記載の液晶ポリマーフィルム。
【請求項９】
前記第２表面の十点平均粗さは２．０μｍ以下であることを特徴とする、請求項１〜８のいずれか一項に記載の液晶ポリマーフィルム。
【請求項１０】
第１の金属箔と、請求項１〜９のいずれか一項に記載の液晶ポリマーフィルムと、を含む積層体であって、
前記第１の金属箔は前記液晶ポリマーフィルムの前記第１表面上に配置されている、
積層体。
【請求項１１】
前記積層体は第２の金属箔を含み、前記第２の金属箔は前記液晶ポリマーフィルムの前記第２表面上に配置されていることを特徴とする、請求項１０に記載の積層体。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
遊技球が転動する転動領域を構成する透明な板部と、
該板部に植設された金属製の障害釘と、
を備えた遊技機において、
前記障害釘と前記板部に植設された該障害釘の周囲に生じる白化部との後方に、前記遊技機の前側から前記白化部と重なって視認可能に配置され、発光素子が実装された発光基板を有する光装飾部が位置し、
前記発光基板は、前記板部の裏面と向かい合う面側に前記発光素子が実装され、該発光基板の表面には白色の塗膜が形成されており、
前記発光素子は、白色と同系色である
ことを特徴とする遊技機。
【手続補正２】
【補正対象書類名】明細書
【補正対象項目名】０００６
【補正方法】変更
【補正の内容】
【０００６】
本発明は、
遊技球が転動する転動領域を構成する透明な板部と、
該板部に植設された金属製の障害釘と、
を備えた遊技機において、
前記障害釘と前記板部に植設された該障害釘の周囲に生じる白化部との後方に、前記遊技機の前側から前記白化部と重なって視認可能に配置され、発光素子が実装された発光基板を有する光装飾部が位置し、
前記発光基板は、前記板部の裏面と向かい合う面側に前記発光素子が実装され、該発光基板の表面には白色の塗膜が形成されており、
前記発光素子は、白色と同系色である
ことを特徴とする。
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
前面と裏面を有し、ユーザーの口を覆うように形成される柔軟なパッド；
前記柔軟なパッドの裏面に位置し、ユーザーの上唇と下唇の上に取り外し可能に固定されるように配置される接着剤；及び
前記柔軟なパッドの前面と裏面の間に通路を形成する透過部；
を備え、
前記透過部は、口呼吸の間に前記透過部を通して空気が流れることを可能にするメッシュを備える、睡眠補助装置。
【請求項２】
前記接着剤は、ユーザーの上唇と下唇の上のみに取り外し可能に固定するように形成される、請求項１に記載の睡眠補助装置。
【請求項３】
前記接着剤は、前記柔軟なパッドの裏面全体に配置される、請求項１に記載の睡眠補助装置。
【請求項４】
前記接着剤は、前記透過部の全周辺に配置される、請求項１に記載の睡眠補助装置。
【請求項５】
前記接着剤は耐水性を有する、請求項１に記載の睡眠補助装置。
【請求項６】
前記接着剤は無毒である、請求項１に記載の睡眠補助装置。
【請求項７】
前記接着剤はシリコン系である、請求項１に記載の睡眠補助装置。
【請求項８】
前記接着剤は上に配置される裏接着剤を更に備える、請求項１に記載の睡眠補助装置。
【請求項９】
前記透過部は０．５インチの直径を有する、請求項１に記載の睡眠補助装置。
【請求項１０】
前記透過部は０．２５インチの直径を有する、請求項１に記載の睡眠補助装置。
【請求項１１】
前記透過部は円筒状の通路を更に含む、請求項１に記載の睡眠補助装置。
【請求項１２】
前記柔軟なパッドは、布で形成される、請求項１に記載の睡眠補助装置。
【請求項１３】
前記柔軟なパッドは織られた紙で形成される、請求項１に記載の睡眠補助装置。
【請求項１４】
前記柔軟なパッドは穴あきのシリコンで形成される、請求項１に記載の睡眠補助装置。
【請求項１５】
前記柔軟なパッドはユーザーの上唇と下唇の形に一致するように形成される、請求項１に記載の睡眠補助装置。
【請求項１６】
前記メッシュは全前面又は全裏面の1つを包含する、請求項１に記載の睡眠補助装置。
【請求項１７】
前記メッシュは前面に固定される、請求項１に記載の睡眠補助装置。
【請求項１８】
前記柔軟なパッドの片面に配置される少なくとも１つのタブを更に含み、前記少なくとも１つのタブが、ユーザーの上唇及び下唇から睡眠補助装置を取り除くことを容易にするように形成される、請求項１に記載の睡眠補助装置。
【請求項１９】
前記少なくとも１つのタブは接着剤がない、請求項１に記載の睡眠補助装置。
【請求項２０】
前記柔軟なパッドの面に取り付けられる少なくとも１つの弾性バンドを更に含み、前記少なくとも１つの弾性バンドはユーザーの頭の周り及び後ろ側に伸びるように形成され、前記少なくとも１つの弾性バンドは前記柔軟なパッドをユーザーの口に固定する、請求項１に記載の睡眠補助装置。
【請求項２１】
１つの容器を更に備え、前記容器は無菌であり、前記柔軟なパッドを使用するまで無菌状態に保管するように形成される、請求項１に記載の睡眠補助装置。
【請求項２２】
第１の面と第２の面を有し、ユーザーの口を覆うように形成される柔軟なパッド；
第１の面に位置し、ユーザーの口に取り外し可能に固定されるように形成される接着剤；
第１の面と第２の面の間に通路を形成する透過部；
第２の面に固定され、前記透過部上に配置されるメッシュ；
を含み、 
前記メッシュの層が口呼吸中に前記透過部を通る空気の流れを許容する、睡眠補助装置。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
車両の装備を操作するための車両装備操作装置であって、
操作物の接触による操作入力を認識するとともに、操作される被操作装備に対して前記操作入力の情報を伝達して前記被操作装備を動作させる操作パネルを備え、
前記車両装備操作装置は、前記車両のドアのアームレストに設けられた収容凹部に収容可能である、
ことを特徴とする車両装備操作装置。
【請求項２】
請求項１に記載の車両装備操作装置であって、
前記車両装備操作装置は、前記操作パネルが画像表示部を備え、ドアのウインドウガラスを操作する、
ことを特徴とする車両装備操作装置。
【請求項３】
請求項１または２に記載の車両装備操作装置であって、
前記収容凹部は、前記車両装備操作装置の外形状よりも大きく、
前記収容凹部の前後両方向における一対の壁部は、下方から上方に向かって互いの離間距離が広がるテーパ面となっている、
ことを特徴とする車両装備操作装置。
【請求項４】
請求項１から３のいずれか１項に記載の車両装備操作装置であって、
複数の前記被操作装備を操作可能であることを特徴とする車両装備操作装置。
【請求項５】
請求項１から４のいずれか１項記載の車両装備操作装置であって、
前記操作パネルは、前記被操作装備の情報を表示する画像表示部を有し、
複数の前記被操作装備を操作可能とされ、
前記画像表示部には、前記操作パネルに対して所定の操作入力を行うことにより、複数の前記被操作装備の情報のうち、一の前記被操作装備の情報と他の前記被操作装備の情報とが切り替え表示されることを特徴とする車両装備操作装置。
【請求項６】
請求項１から５のいずれか１項に記載の車両装備操作装置であって、
前記操作パネルは、多機能携帯情報端末のタッチパネルディスプレイであり、
前記多機能携帯情報端末は、専用アプリケーションソフトをダウンロードすることにより、前記操作パネルとして機能することを特徴とする車両装備操作装置。
【請求項７】
請求項１から５のいずれか１項に記載の車両装備操作装置であって、
前記操作パネルは、タッチパネルディスプレイであり、前記車両のドアに対し着脱可能に形成されていることを特徴とする車両装備操作装置。
【請求項８】
請求項１から７のいずれか１項に記載の車両装備操作装置であって、
前記操作パネルを覆う蓋部材を有することを特徴とする車両装備操作装置。
【請求項９】
請求項１から８のいずれか１項に記載の車両装備操作装置であって、
所定の信号を認識することにより、前記操作パネルのロックおよびロック解除を行うロック機構を備えたことを特徴とする車両装備操作装置。
【請求項１０】
請求項１から９のいずれか１項に記載の車両装備操作装置であって、
前記操作パネルが設けられた前記アームレストの下方には、上方に開口するドアポケットが設けられていることを特徴とする車両装備操作装置。
【手続補正２】
【補正対象書類名】明細書
【補正対象項目名】０００９
【補正方法】変更
【補正の内容】
【０００９】
上記の課題を解決するために、本発明の車両装備操作装置は、車両の装備を操作するための車両装備操作装置であって、操作物の接触による操作入力を認識するとともに、操作される被操作装備に対して前記操作入力の情報を伝達して前記被操作装備を動作させる操作パネルを備え、前記車両装備操作装置は、前記車両のドアのアームレストに設けられた収容凹部に収容可能である、ことを特徴としている。
また、前記車両装備操作装置は、前記操作パネルが画像表示部を備え、ドアのウインドウガラスを操作する、ことを特徴としている。
また、前記収容凹部は、前記車両装備操作装置の外形状よりも大きく、
前記収容凹部の前後両方向における一対の壁部は、下方から上方に向かって互いの離間距離が広がるテーパ面となっている、ことを特徴としている。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２７
【補正方法】変更
【補正の内容】
【００２７】
また、前記操作パネルは、タッチパネルディスプレイであり、前記車両のドアに対し着脱可能に形成されていることを特徴としている。
【手続補正１４】
【補正対象書類名】明細書
【補正対象項目名】００２８
【補正方法】変更
【補正の内容】
【００２８】
本発明によれば、タッチパネルディスプレイが車両のドアに対し着脱可能に形成されているので、ユーザーは、車両の運転時にタッチパネルディスプレイを車両装備操作装置として使用できるとともに、車両の運転終了後に通常のタッチパネルディスプレイとして使用できる。
【手続補正１５】
【補正対象書類名】明細書
【補正対象項目名】００３２
【補正方法】変更
【補正の内容】
【００３２】
本発明によれば、ロック機構を備えているので、ユーザーが車両装備操作装置に対して所定の信号を入力することにより、操作パネルのロックおよびロック解除をすることができる。したがって、セキュリティに優れた車両装備操作装置とすることができる。
また、前記操作パネルが設けられた前記アームレストの下方には、上方に開口するドアポケットが設けられていてもよい。
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
車両に装着するための接続端子部と、
前記接続端子部を一面側に備えるケース本体と、
前記ケース本体内に配置された基板と、
前記基板の回路による処理に応じた情報を出力する接続ケーブルと、
を備え、
前記ケース本体は、互いの先端縁部同士を突き合わせて連結した第１ケースと第２ケースとを含み、
前記第２ケースには外からネジを挿入するための孔部が設けられ、
前記第１ケースの所定位置に前記孔部から挿入した前記ネジ用のネジ穴が設けられ、
前記ネジを前記ネジ穴に締結した状態で前記第２ケースが前記第１ケースに固定され、
前記所定位置は、前記ネジ穴の軸方向に見たとき、前記第１ケースの前記一面側の第１の壁と前記基板との間に位置し、
前記第１ケースの前記第１の壁と異なる第２の壁には、前記第１ケースの先端縁部よりも突出した部位が設けられ、
前記突出した部位は、前記第１ケースと前記第２ケースとが連結しているときに前記第２ケースの内側に位置するネジ止めされない部位である
車載機器接続用アダプタ。
【請求項２】
前記突出した部位は爪状の部位である
請求項１に記載の車載機器接続用アダプタ。
【請求項３】
前記軸方向に見たときの前記第２の壁と前記基板との間には、前記第２ケースを前記第１ケースに固定するためのネジ穴が設けられていない
請求項１または２に記載の車載機器接続用アダプタ。
【請求項４】
前記接続端子部は、その外周囲に突出するフランジ部であって前記第１ケースおよび前記第２ケースを位置決めするのためのフランジ部を有し、
前記第１ケースと前記第２ケースとが連結しているときに、前記フランジ部は、前記ネジ穴と前記第１の壁との間に位置する部分を有する
請求項１から３のいずれか１項に記載の車載機器接続用アダプタ。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
三次元物体の表面にインクを吐出するプリントヘッドと、
前記三次元物体の表面にプリントされた複数の画像のうちの１つの画像の縁端部が含まれるように、前記三次元物体の表面を撮影する撮影手段と、を有するインクジェットプリンタを制御する制御装置において、
前記インクジェットプリンタは、前記三次元物体の表面に前記複数の画像を隣接してプリントし、
前記撮影手段によって撮影された画像に基づいてデータを補正する制御部を備え、
前記制御部は、補正された前記データに基づいてインクを吐出するように前記プリントヘッドを制御する
ことを特徴とする制御装置。
【請求項２】
前記制御部は、前記撮影手段によって撮影された複数の撮影画像に基づいて前記データを補正する
ことを特徴とする請求項１に記載の制御装置。
【請求項３】
前記複数の撮影画像のそれぞれの画像サイズは任意に設定可能である
ことを特徴とする請求項２に記載の制御装置。
【請求項４】
前記制御部は、前記縁端部に接するように、前記データを補正する
ことを特徴とする請求項１乃至３の何れか１項に記載の制御装置。
【請求項５】
三次元物体の表面にインクを吐出するプリントヘッドと、
前記三次元物体の表面にプリントされた複数の画像のうちの１つの画像の縁端部が含まれるように、前記三次元物体の表面を撮影する撮影手段と、を有するインクジェットプリンタを制御する制御装置による制御方法において、
前記インクジェットプリンタは、前記三次元物体の表面に前記複数の画像を隣接してプリントし、
前記撮影手段によって撮影された画像に基づいてデータを補正する制御工程を含み、
前記制御工程では、補正された前記データに基づいてインクを吐出するように、前記プリントヘッドを制御する
ことを特徴とする制御方法。
【手続補正２】
【補正対象書類名】明細書
【補正対象項目名】発明の名称
【補正方法】変更
【補正の内容】
【発明の名称】制御装置、及び制御方法
【手続補正３】
【補正対象書類名】明細書
【補正対象項目名】０００１
【補正方法】変更
【補正の内容】
【０００１】
本発明は、制御装置、及び制御方法に関する。
【手続補正４】
【補正対象書類名】明細書
【補正対象項目名】０００６
【補正方法】変更
【補正の内容】
【０００６】
上記課題を解決するために請求項１に記載の発明は、三次元物体の表面にインクを吐出するプリントヘッドと、前記三次元物体の表面にプリントされた複数の画像のうちの１つの画像の縁端部が含まれるように、前記三次元物体の表面を撮影する撮影手段と、を有するインクジェットプリンタを制御する制御装置において、前記インクジェットプリンタは、前記三次元物体の表面に前記複数の画像を隣接してプリントし、前記撮影手段によって撮影された画像に基づいてデータを補正する制御部を備え、前記制御部は、前記プリントヘッドが、補正された前記データに基づいて液体を吐出するように制御することを特徴とする。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
遊技球を受け入れ可能な受入口と、前記受入口への遊技球の受け入れに基づいて抽選を実行可能な抽選手段とを備え、前記抽選の結果が特定の結果であることに基づいて遊技者に有利な当たり遊技が実行される遊技機であって、
遊技球が流下可能な遊技領域が形成され開口を有した遊技パネルと、前記遊技パネルに設けられたセンター役物と、
前記抽選の結果に応じた演出を表示領域に表示可能な第１表示手段と、
前記第１表示手段の前方に所定距離をおいて配置された第２表示手段と、
待機位置から動作位置へ前記第１表示手段の前記表示領域を覆うように移動可能にされた可動体と、
を備え、
前記第２表示手段は、透明な導光板と前記導光板の複数の端面のうち一の端面側に配置された複数の発光部とを有し、前記発光部からの光が前記導光板の前記一の端面側から入射されることにより前記導光板の前面側に所定の絵柄が出現されるようにされており、
前記導光板の前面側に出現される前記絵柄には、第１絵柄と前記第１絵柄と態様が異なる第２絵柄を含む複数の態様があるとともに、複数の態様で出現される前記絵柄は前記一の端面側に配置された複数の発光部によって出現可能とされており、
前記第１絵柄が出現される前記導光板の第１表示領域と前記第２絵柄が出現される前記導光板の第２表示領域とは、前記一の端面側に配置された発光部からの光の入射方向において重なっており、
前記第１絵柄と前記第２絵柄を含む複数の態様からなる前記絵柄を特定の順番で発光させることで動きのある発光演出を実行可能とし、
前記第２表示手段が有する前記導光板は、前記センター役物の後方から開口を塞ぐように取り付けられている
ことを特徴とする遊技機。
【手続補正２】
【補正対象書類名】明細書
【補正対象項目名】０００２
【補正方法】変更
【補正の内容】
【０００２】
従来より、遊技盤の遊技領域に発射された遊技球が始動口に入球（以下「始動入賞」ともいう）すると、この始動入賞を契機として大当り抽選を実行し、これに当選すると、遊技者にとって有利な特別遊技状態に移行する。また、従来の遊技機では、上述した始動入賞を契機とする始動条件の成立後、図柄表示装置において図柄の変動表示を開始し、大当り抽選の結果を示唆する演出を、図柄変動とともに実行する。また、従来の遊技機では、遊技盤に取り付けられた導光板を当該演出において発光させて所定の絵柄を表示させている。このような導光板を用いた演出は遊技者にとって欠かせない演出となりつつある（例えば、特許文献１）。
【手続補正３】
【補正対象書類名】明細書
【補正対象項目名】０００３
【補正方法】変更
【補正の内容】
【０００３】
【特許文献１】特開２０１４−０５０５８８号公報
【手続補正４】
【補正対象書類名】明細書
【補正対象項目名】０００４
【補正方法】変更
【補正の内容】
【０００４】
しかしながら、導光板を用いた演出にはまだまだ改善の余地がある。
【手続補正５】
【補正対象書類名】明細書
【補正対象項目名】０００５
【補正方法】変更
【補正の内容】
【０００５】
本発明は、導光板を用いた演出に工夫が施された遊技機を提案するものである。
【手続補正６】
【補正対象書類名】明細書
【補正対象項目名】０００７
【補正方法】変更
【補正の内容】
【０００７】
本発明は、
遊技球を受け入れ可能な受入口と、前記受入口への遊技球の受け入れに基づいて抽選を実行可能な抽選手段とを備え、前記抽選の結果が特定の結果であることに基づいて遊技者に有利な当たり遊技が実行される遊技機であって、
遊技球が流下可能な遊技領域が形成され開口を有した遊技パネルと、前記遊技パネルに設けられたセンター役物と、
前記抽選の結果に応じた演出を表示領域に表示可能な第１表示手段と、
前記第１表示手段の前方に所定距離をおいて配置された第２表示手段と、
待機位置から動作位置へ前記第１表示手段の前記表示領域を覆うように移動可能にされた可動体と、
を備え、
前記第２表示手段は、透明な導光板と前記導光板の複数の端面のうち一の端面側に配置された複数の発光部とを有し、前記発光部からの光が前記導光板の前記一の端面側から入射されることにより前記導光板の前面側に所定の絵柄が出現されるようにされており、
前記導光板の前面側に出現される前記絵柄には、第１絵柄と前記第１絵柄と態様が異なる第２絵柄を含む複数の態様があるとともに、複数の態様で出現される前記絵柄は前記一の端面側に配置された複数の発光部によって出現可能とされており、
前記第１絵柄が出現される前記導光板の第１表示領域と前記第２絵柄が出現される前記導光板の第２表示領域とは、前記一の端面側に配置された発光部からの光の入射方向において重なっており、
前記第１絵柄と前記第２絵柄を含む複数の態様からなる前記絵柄を特定の順番で発光させることで動きのある発光演出を実行可能とし、
前記第２表示手段が有する前記導光板は、前記センター役物の後方から開口を塞ぐように取り付けられている  ことを特徴とする。
【手続補正７】
【補正対象書類名】明細書
【補正対象項目名】００１６
【補正方法】変更
【補正の内容】
【００１６】
本発明によれば、導光板を用いた演出に工夫が施された遊技機を提供することができる。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
電子部品を実装する基板と、基板面上に設けられ外部からの配線と接続可能な配線接続部と、を含む遊技機構成部品と、
遊技機の背面側から前記遊技機構成部品を覆うように配置され、所定の収容空間に前記遊技機構成部品を収容可能なカバー部材と、を備え、
前記基板は、前記基板面上において、前記カバー部材により形成される所定の収容空間に収容される領域と、前記カバー部材により形成される前記所定の収容空間に収容されずに露出する領域と、が生じるように配置され、
前記配線接続部は、前記基板面上において、前記カバー部材により形成される前記所定の収容空間に収容されない領域に設けられていることを特徴とする遊技機。
【手続補正２】
【補正対象書類名】明細書
【補正対象項目名】０００２
【補正方法】変更
【補正の内容】
【０００２】
従来、遊技領域の背面において、側面方向から見て斜め方向に配置されたプロジェクタから照射した投影画像を反射板にて前方に反射させ、反射された投影画像がスクリーンに投影される遊技機が開示されている（特許文献１を参照）。このような遊技機によれば、プロジェクタから照射した投影画像を、スクリーンに投影することができる。
【手続補正３】
【補正対象書類名】明細書
【補正対象項目名】０００３
【補正方法】変更
【補正の内容】
【０００３】
【特許文献１】特開２００４−３３２５１号公報
【手続補正４】
【補正対象書類名】明細書
【補正対象項目名】０００４
【補正方法】変更
【補正の内容】
【０００４】
しかしながら、上記特許文献１の遊技機は、斜めに配置されたプロジェクタ（又は反射鏡）は、縦方向のスペースは節約できるものの、奥行き方向に余分なスペースを必要とし、また周囲の部品との間に三角形のデッドスペースを発生させてしまうので、遊技機の裏機構が大型化してしまう問題があった。
【手続補正５】
【補正対象書類名】明細書
【補正対象項目名】０００５
【補正方法】変更
【補正の内容】
【０００５】
そこで、本発明は、このような問題点を解決し、遊技機内部の限られたスペースを有効に利用することが可能な遊技機を提供することを目的とする。
【手続補正６】
【補正対象書類名】明細書
【補正対象項目名】０００７
【補正方法】変更
【補正の内容】
【０００７】
本発明の遊技機は、電子部品を実装する基板（例えば、主制御基板７０Ａ等）と、基板面上に設けられ外部からの配線と接続可能な配線接続部（例えば、主制御基板コネクタ接続部７０Ａａ等）と、を含む遊技機構成部品と、
遊技機の背面側から前記遊技機構成部品を覆うように配置され、所定の収容空間に前記遊技機構成部品を収容可能なカバー部材（例えば、カバー部材４３０等）と、を備え、
前記基板は、前記基板面上において、前記カバー部材により形成される所定の収容空間に収容される領域と、前記カバー部材により形成される前記所定の収容空間に収容されずに露出する領域と、が生じるように配置され、
前記配線接続部は、前記基板面上において、前記カバー部材により形成される前記所定の収容空間に収容されない領域に設けられている。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
本発明によれば、遊技機内部の限られたスペースを有効に利用することが可能な遊技機を提供できる。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
使用者が着席可能な座体を備える椅子であって、
前記座体の少なくとも前方の縁部分には、板状の形状及び面状の形状のうちの少なくともいずれか一方であって、前方の端部が上下方向に弾性変形可能に構成された前縁部が設けられており、
少なくとも、前記前縁部の上面と、前記前縁部の前端の前方側と、を覆うようにエラストマーにより被覆されている椅子。
【請求項２】
請求項１に記載の椅子であって、
前記前縁部は、前方ほど下方に位置するように傾斜した形状である、椅子。
【請求項３】
請求項２に記載の椅子であって、
前記前縁部は、前端に、前方かつ下方を向く面である前側面を有しており、
前記エラストマーにより、前記前側面の前方側かつ下方側が被覆されている、椅子。
【請求項４】
請求項１から請求項３のいずれか１項に記載の椅子であって、
前記前縁部には、１つ以上のスリットが形成されている、椅子。
【請求項５】
請求項１から請求項４のいずれか１項に記載の椅子であって、
前記座体には、前記前縁部の後方に位置しており、前記前縁部と比較して上下方向の弾性変形が制限された変位制限部が設けられており、
前記前縁部と、前記変位制限部と、は共通の部材により形成されている、椅子。
【請求項６】
請求項５に記載の椅子であって、
前記前縁部の左右方向の幅は、前記変位制限部における左右方向の幅よりも小さい、椅子。
【請求項７】
請求項１から請求項６のいずれか１項に記載の椅子であって、
前記前縁部は、上方から見たときに、左右方向に長さを有する略矩形である、椅子。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられる所定の入賞口と、
演出内容が表示される演出表示装置と、
遊技の基本動作を主に制御する主制御装置と、
遊技の演出的動作を主に制御する副制御装置と、を備え、
前記副制御装置は、前記演出表示装置に表示させる演出内容を決定する演出決定手段を含み、
前記所定の入賞口への入球に応じて、前記所定の入賞口への入球を示唆する入賞演出を表示可能であり、
前記入賞演出の表示可能箇所が複数箇所設けられており、
前記入賞演出が所定の表示可能箇所にて表示される場合、遊技者に有利なことを示唆する所定演出と重畳して表示され得るとともに、前記入賞演出は前記所定演出よりも前面にて表示される弾球遊技機。
【手続補正２】
【補正対象書類名】明細書
【補正対象項目名】０００７
【補正方法】変更
【補正の内容】
【０００７】
上記課題を解決するために、本発明のある態様の弾球遊技機は、遊技領域が形成された遊技盤と、前記遊技領域の所定位置に設けられる所定の入賞口と、演出内容が表示される演出表示装置と、遊技の基本動作を主に制御する主制御装置と、遊技の演出的動作を主に制御する副制御装置と、を備え、前記副制御装置は、前記演出表示装置に表示させる演出内容を決定する演出決定手段を含み、前記所定の入賞口への入球に応じて、前記所定の入賞口への入球を示唆する入賞演出を表示可能であり、前記入賞演出の表示可能箇所が複数箇所設けられており、前記入賞演出が所定の表示可能箇所にて表示される場合、遊技者に有利なことを示唆する所定演出と重畳して表示され得るとともに、前記入賞演出は前記所定演出よりも前面にて表示される。
＜付記＞
尚、本発明のある態様とは異なる別態様について以下に列記しておくが、これらには何ら限定されることなく実施することが可能である。
本別態様の弾球遊技機は、遊技領域が形成された遊技盤と、遊技領域の所定位置に設けられる第１始動口および第２始動口と、遊技領域の所定位置に設けられ、当否判定の結果に応じて開放され、遊技球の入球が遊技者への利益付与の契機となる大入賞口と、当否判定の結果を示すための図柄が変動表示される図柄表示装置と、演出内容が表示される演出表示装置と、遊技の基本動作を主に制御する主制御装置と、遊技の演出的動作を主に制御する副制御装置と、を備える。主制御装置は、第１始動口または第２始動口への入球を契機として取得した抽選値に基づいて当否判定を実行する当否判定手段と、抽選値をその当否判定に対応する図柄の変動表示開始まで保留として一時記憶する保留制御手段と、複数の基準の中のいずれかにしたがって、図柄の変動時間が定められた変動パターンを決定する変動パターン決定手段と、当否判定の結果が大当りであることを示す図柄が停止表示された場合、大入賞口の開放を伴う特別遊技を実行する特別遊技制御手段と、当否判定の結果が小当りであることを示す図柄が停止表示された場合、大入賞口の開放を伴う小当り遊技を実行する小当り遊技制御手段と、を含む。副制御装置は、演出表示装置に表示させる演出内容を決定する演出決定手段を含む。第２始動口への入球に対応する当否判定の結果が小当りとなる確率は第１始動口への入球に対応する当否判定の結果が小当りとなる確率より高く設定される、または、第２始動口への入球に対応する当否抽選の結果は小当りとなり得る一方で第１始動口への入球に対応する当否判定の結果は小当りとならないよう構成され、図柄は、第１始動口への入球を契機として変動する第１特別図柄と、第２始動口への入球を契機として変動する第２特別図柄とを含む。変動パターン決定手段は、第２特別図柄の平均変動時間が所定時間となる第１基準にしたがって第２特別図柄の変動パターンを決定可能である一方、第１特別図柄または第２特別図柄が所定の大当り態様であった場合に特別遊技の終了後移行される特殊遊技状態では、第２特別図柄の平均変動時間が所定時間より短い特定時間となる第２基準にしたがって第２特別図柄の変動パターンを決定可能であり、主制御装置は、第２始動口への入球があった場合、当該入球を契機として取得された抽選値に基づく第２特別図柄の変動表示が直ちに開始されるか否かにかかわらず、当該入球を契機として取得された抽選値に基づく当否判定の結果が小当りとなることを示す事前判定情報を副制御装置へ通知可能であり、特殊遊技状態においては、小当り遊技が実行予定であることを示す第１オブジェクトを、事前判定情報に基づいて特定される小当り遊技の実行予定回数に対応した個数分表示させ、小当り遊技が１回実行されることを契機として、表示中の第１オブジェクトを１つ消去可能であり、特殊遊技状態において当否判定の結果が大当りである場合、特別遊技における単位遊技が実行予定であることを示す第２オブジェクトを、特別遊技における単位遊技の実行予定回数に対応した個数分表示させ、単位遊技が１回実行されることを契機として、表示中の第２オブジェクトを１つ消去可能であり、小当り遊技における大入賞口の開放時間は、特別遊技の１回の単位遊技における大入賞口の開放時間より短く、賞球の獲得期待値を示すオブジェクトであり且つ賞球の獲得期待値に対応した表示態様にて表示されるオブジェクトである特殊オブジェクトを表示可能であり、小当り遊技が第１回数実行されることで第１オブジェクトを第１回数に対応した第１個数消去する場合、特殊オブジェクトの表示態様を変更可能であり、特別遊技における単位遊技が第１回数より少ない第２回数実行されることで第２オブジェクトを第２回数に対応した第２個数消去する場合、特殊オブジェクトの表示態様を変更可能である。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられる所定の入賞口と、
演出内容が表示される演出表示装置と、
遊技の基本動作を主に制御する主制御装置と、
遊技の演出的動作を主に制御する副制御装置と、を備え、
前記副制御装置は、前記演出表示装置に表示させる演出内容を決定する演出決定手段を含み、
前記所定の入賞口への入球に応じて、前記所定の入賞口への入球を示唆する入賞演出を表示可能であり、
遊技状態として、第１遊技状態と第２遊技状態とを少なくとも有し、
前記第１遊技状態では、前記所定の入賞口への入球に応じて、前記入賞演出を表示可能である一方で、前記第２遊技状態では、前記所定の入賞口への入球があっても、前記入賞演出を表示しない弾球遊技機。
【手続補正２】
【補正対象書類名】明細書
【補正対象項目名】０００７
【補正方法】変更
【補正の内容】
【０００７】
上記課題を解決するために、本発明のある態様の弾球遊技機は、遊技領域が形成された遊技盤と、前記遊技領域の所定位置に設けられる所定の入賞口と、演出内容が表示される演出表示装置と、遊技の基本動作を主に制御する主制御装置と、遊技の演出的動作を主に制御する副制御装置と、を備え、前記副制御装置は、前記演出表示装置に表示させる演出内容を決定する演出決定手段を含み、前記所定の入賞口への入球に応じて、前記所定の入賞口への入球を示唆する入賞演出を表示可能であり、遊技状態として、第１遊技状態と第２遊技状態とを少なくとも有し、前記第１遊技状態では、前記所定の入賞口への入球に応じて、前記入賞演出を表示可能である一方で、前記第２遊技状態では、前記所定の入賞口への入球があっても、前記入賞演出を表示しない。
＜付記＞
尚、本発明のある態様とは異なる別態様について以下に列記しておくが、これらには何ら限定されることなく実施することが可能である。
本別態様の弾球遊技機は、遊技領域が形成された遊技盤と、遊技領域の所定位置に設けられる第１始動口および第２始動口と、遊技領域の所定位置に設けられ、当否判定の結果に応じて開放され、遊技球の入球が遊技者への利益付与の契機となる大入賞口と、当否判定の結果を示すための図柄が変動表示される図柄表示装置と、演出内容が表示される演出表示装置と、遊技の基本動作を主に制御する主制御装置と、遊技の演出的動作を主に制御する副制御装置と、を備える。主制御装置は、第１始動口または第２始動口への入球を契機として取得した抽選値に基づいて当否判定を実行する当否判定手段と、抽選値をその当否判定に対応する図柄の変動表示開始まで保留として一時記憶する保留制御手段と、複数の基準の中のいずれかにしたがって、図柄の変動時間が定められた変動パターンを決定する変動パターン決定手段と、当否判定の結果が大当りであることを示す図柄が停止表示された場合、大入賞口の開放を伴う特別遊技を実行する特別遊技制御手段と、当否判定の結果が小当りであることを示す図柄が停止表示された場合、大入賞口の開放を伴う小当り遊技を実行する小当り遊技制御手段と、を含む。副制御装置は、演出表示装置に表示させる演出内容を決定する演出決定手段を含む。第２始動口への入球に対応する当否判定の結果が小当りとなる確率は第１始動口への入球に対応する当否判定の結果が小当りとなる確率より高く設定される、または、第２始動口への入球に対応する当否抽選の結果は小当りとなり得る一方で第１始動口への入球に対応する当否判定の結果は小当りとならないよう構成され、図柄は、第１始動口への入球を契機として変動する第１特別図柄と、第２始動口への入球を契機として変動する第２特別図柄とを含む。変動パターン決定手段は、第２特別図柄の平均変動時間が所定時間となる第１基準にしたがって第２特別図柄の変動パターンを決定可能である一方、第１特別図柄または第２特別図柄が所定の大当り態様であった場合に特別遊技の終了後移行される特殊遊技状態では、第２特別図柄の平均変動時間が所定時間より短い特定時間となる第２基準にしたがって第２特別図柄の変動パターンを決定可能であり、主制御装置は、第２始動口への入球があった場合、当該入球を契機として取得された抽選値に基づく第２特別図柄の変動表示が直ちに開始されるか否かにかかわらず、当該入球を契機として取得された抽選値に基づく当否判定の結果が小当りとなることを示す事前判定情報を副制御装置へ通知可能であり、特殊遊技状態においては、事前判定情報に基づいて特定される小当り遊技の実行予定回数を示唆する特殊演出を表示可能であり、特殊遊技状態においては、第２始動口への入球に対応する当否判定の結果が小当りの場合の第２特別図柄の変動パターンとして、第２始動口への入球に対応する当否判定の結果が外れの場合の第２特別図柄の変動パターンより変動時間が短い変動パターンを決定可能であり、特殊遊技状態においては、第２始動口への入球に対応する当否判定の結果が外れの場合の第２特別図柄の変動表示中に、特殊演出を表示可能とする。
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
制御手段と、前記制御手段の制御に用いられる電子部品からの入力信号に基づく入力データを前記制御手段に伝送する入力回路と、前記制御手段から伝送された出力データに基づいて電子部品に対して出力信号を出力する出力回路と、が実装されるとともに、配線パターンが形成された基板を備え、
前記入力回路及び前記出力回路に、型式を示す文字情報が記載されており、
前記入力回路と前記出力回路とは、前記文字情報の向きが異なるように、前記基板に実装され、
前記配線パターンは、前記入力回路からの入力データの前記制御手段への伝送及び前記制御手段からの出力データの前記出力回路への伝送に共用されるデータバスを含み、
前記基板は、第１面のみに電子部品が実装されるとともに、第２面に前記データバスが形成され、前記データバスからスルーホールを介して前記第１面に分岐した配線パターンを、前記第１面において遊技の進行に応じた出力を行うための第１配線パターンと遊技の進行に応じた出力信号を外部機器に対して出力するための第２配線パターンに分岐する、
ことを特徴とする遊技機。
【手続補正２】
【補正対象書類名】明細書
【補正対象項目名】０００６
【補正方法】変更
【補正の内容】
【０００６】
前記課題を解決するために、本発明の手段１の遊技機は、
遊技が可能な遊技機であって、
制御手段（遊技制御用マイクロコンピュータ）と、前記制御手段（遊技制御用マイクロコンピュータ）の制御に用いられる電子部品（入力部品）からの入力信号に基づく入力データを前記制御手段（遊技制御用マイクロコンピュータ）に伝送する入力回路と、前記制御手段（遊技制御用マイクロコンピュータ）から伝送された出力データに基づいて電子部品（出力部品）に対して出力信号を出力する出力回路と、が実装されるとともに、配線パターンが形成された基板（遊技制御基板）を備え、
前記入力回路及び前記出力回路に、型式を示す文字情報が記載されており、
前記入力回路と前記出力回路とは、前記文字情報の向きが異なるように、前記基板に実装され、
前記配線パターンは、前記入力回路からの入力データの前記制御手段（遊技制御用マイクロコンピュータ）への伝送及び前記制御手段（遊技制御用マイクロコンピュータ）からの出力データの前記出力回路への伝送に共用されるデータバスを含み、
前記基板（遊技制御基板）は、第１面（実装面）のみに電子部品が実装されるとともに、第２面（ハンダ面）に前記データバスが形成され、前記データバスからスルーホールを通して接続された前記第１面（実装面）の配線パターンを、前記第１面（実装面）において遊技の進行に応じた出力を行うための第１配線パターン（第２出力回路に接続される配線パターン）と遊技の進行に応じた出力信号を外部機器に対して出力するための第２配線パターン（外部出力端子に接続される配線パターン）に分岐する
ことを特徴としている。
この特徴によれば、第２面に形成されたデータバスからスルーホールを通して接続された第１面の配線パターンを利用して第１面側で遊技の進行に応じた出力を行うための第１配線パターンと遊技の進行に応じた出力信号を外部機器に対して出力するための第２配線パターンに分岐させるので、第１配線パターン、第２配線パターンそれぞれに分岐させるために第２面に形成されたデータバスから第１面側に分岐させる必要がないので、配線パターンを簡素に形成することができる。